(57)【特許請求の範囲】
【請求項１】
シンクやコンロ等を有するキッチンの背面に、互いに背向して取り付けられるキッチンカウンターにおいて、
前記キッチンの上部に位置する天板の背面側端部に載置される上カウンター板と、下面に設けられる支持手段によって所定の高さに支持される下カウンター板と、これら上下カウンター間に設けられる収納部とを備えており、
前記支持手段は、床面から前記下カウンター板の下面までの高さと略等しい高さに切削形成される化粧台輪と、この化粧台輪の前方に配置されるとともに、高さ調整可能に形成された支持脚とを備えていることを特徴とするキッチンカウンター。
【請求項２】
請求項１に記載のキッチンカウンターにおいて、
前記キッチンと、前記上下カウンター板および収納部との側面に、これらキッチンと、上下カウンター板および収納部との側面を被覆する化粧側板が取り付けられていることを特徴とするキッチンカウンター。
【請求項３】
請求項１または２に記載のキッチンカウンターにおいて、
前記化粧台輪は、互いに対向する正面板部および背面板部と、少なくとも一方の側面に設けられる側板部とを備えており、
この側板部は、前記背面板部よりも後方に突出して形成されており、この側板部の突出部分によって前記キッチンの下部に位置する台輪の側面が被覆されていることを特徴とするキッチンカウンター。
【請求項４】
請求項１〜３のいずれか一項に記載のキッチンカウンターにおいて、
前記収納部内には、この収納部の背面側から前方に向かって延在するとともに、前記上カウンター板の下面に当接するカウンター受け桟が設けられていることを特徴とするキッチンカウンター。
【請求項５】
請求項１〜４のいずれか一項に記載のキッチンカウンターにおいて、
前記キッチンの天板の背面側端部と、前記上カウンター板との接触部分に防水処理が施されていることを特徴とするキッチンカウンター。
【発明の詳細な説明】
【技術分野】
【０００１】
本発明は、シンクやコンロ等を有するキッチンの背面に、互いに背向して取り付けられるキッチンカウンターに関する。
【背景技術】
【０００２】
近年、住宅のキッチンタイプには、厨房器具の配置の形式によって様々な形式のものがあるが、食器等を洗うシンクやコンロ等を備えるキッチン家具（以下、キッチン）をキッチンルーム中央に置き、様々な方向から使用できるようにしたアイランドキッチンや、キッチンの一方の端部を壁に接するようにして配置するペニンシュラキッチン等が知られている（例えば、特許文献１参照）。
そして、このようなアイランドキッチンやペニンシュラキッチンの形式によれば、調理作業を開放的な空間で行うことができるとともに、調理者だけが孤立することがない。
【特許文献１】特開２００２−１２１９１０号公報
【発明の開示】
【発明が解決しようとする課題】
【０００３】
ところで、特許文献１に記載のようなキッチンの背面側はダイニングルームやリビングルーム等に面しているので、例えばキッチンの背面に、収納付きのキッチンカウンターを一体的に取り付けるなどして、キッチン周囲の外観性や使い勝手を向上させたいという要望があった。
ところが、キッチンの高さはメーカーや製品ごとに異なる場合がある。しかしながら、これに対応するために、例えばキッチンカウンターも高さの異なる製品をそれぞれ製造するとなると、製造ラインの増加やコストの増加を招く場合がある。
【０００４】
本発明の課題は、キッチンの高さが、メーカーや製品ごとに異なるものであっても、適宜対応させることが可能なキッチンカウンターを提供することを目的とする。
【課題を解決するための手段】
【０００５】
請求項１に記載の発明は、例えば図１〜図４に示すように、シンク１０やコンロ１１等を有するキッチン１の背面に、互いに背向して取り付けられるキッチンカウンター２において、
前記キッチン１の上部に位置する天板１２の背面側端部１２ａに載置される上カウンター板３と、下面に設けられる支持手段によって所定の高さに支持される下カウンター板４と、これら上下カウンター３，４間に設けられる収納部５とを備えており、
前記支持手段は、床面Ｆから前記下カウンター板４の下面までの高さと略等しい高さに切削形成される化粧台輪６と、この化粧台輪６の前方に配置されるとともに、高さ調整可能に形成された支持脚７とを備えていることを特徴とする。
【０００６】
請求項１に記載の発明によれば、前記上カウンター板３は、前記キッチン１の上部に位置する天板１２の背面側端部１２ａに載置されるので、メーカーや製品等に関わりなく、前記キッチン１の高さに対応できることとなる。
しかも、前記支持手段は、床面Ｆから前記下カウンター板４の下面までの高さと略等しい高さに切削形成される化粧台輪６と、この化粧台輪６の前方に配置されるとともに、高さ調整可能に形成された支持脚７とを備えているので、これら化粧台輪６および支持脚７を、床面Ｆから前記下カウンター板４の下面までの高さに対応させることによって、前記キッチン１の高さに関わりなく、前記下カウンター板４を確実に所定の高さに支持できることとなる。さらに、この下カウンター板４に合わせて前記収納部５も所定の高さに支持できることとなる。
したがって、前記支持手段によって、前記下カウンター板４および収納部５を、前記キッチン１の高さに対応している前記上カウンター板３の高さに合わせて支持できるので、例えばキッチン１の高さが、メーカーや製品ごとに異なるものであっても、キッチンカウンター２の高さを適宜対応させることが可能となる。
【０００７】
請求項２に記載の発明は、例えば図１〜図３に示すように、請求項１に記載のキッチンカウンター２において、
前記キッチン１と、前記上下カウンター板３，４および収納部５との側面に、これらキッチン１と、上下カウンター板３，４および収納部５との側面を被覆する化粧側板８が取り付けられていることを特徴とする。
【０００８】
請求項２に記載の発明によれば、前記キッチン１と、前記上下カウンター板３，４および収納部５との側面に、これらキッチン１と、上下カウンター板３，４および収納部５との側面を被覆する化粧側板８が取り付けられているので、この化粧側板８によって、前記キッチン１の側面と、前記上下カウンター板３，４および収納部５の側面を隠すことができ、外観性を向上させることができる。また、この化粧側板８によって、前記キッチン１と、前記上下カウンター板３，４および収納部５とを連結するとともに、これ各部どうしの境目を隠すことができるので、前記キッチン１とキッチンカウンター２との一体化を図ることができる。
【０００９】
請求項３に記載の発明は、例えば図１および図２に示すように、請求項１または２に記載のキッチンカウンター２において、
前記化粧台輪６は、互いに対向する正面板部６０および背面板部６１と、少なくとも一方の側面に設けられる側板部６２とを備えており、
この側板部６２は、前記背面板部６１よりも後方に突出して形成されており、この側板部６２の突出部分６２ａによって前記キッチン１の下部に位置する台輪１３の側面が被覆されていることを特徴とする。
【００１０】
請求項３に記載の発明によれば、前記側板部６２の突出部分６２ａによって前記キッチン１の下部に位置する台輪１３の側面が被覆されているので、この側板部６２の突出部分６２ａによって、前記キッチン１の台輪１３と化粧台輪６との間の境目を隠すことができ、前記キッチン１とキッチンカウンター２との一体化を図ることができる。
【００１１】
請求項４に記載の発明は、例えば図１および図３に示すように、請求項１〜３のいずれか一項に記載のキッチンカウンター２において、
前記収納部５内には、この収納部５の背面側から前方に向かって延在するとともに、前記上カウンター板３の下面に当接するカウンター受け桟３０が設けられていることを特徴とする。
【００１２】
請求項４に記載の発明によれば、前記収納部５には、この収納部５の背面側から前方に向かって延在するとともに、前記上カウンター板３の下面に当接するカウンター受け桟３０が設けられているので、このカウンター受け桟３０によって前記上カウンター板３を確実に支持することができる。
【００１３】
請求項５に記載の発明は、例えば図５に示すように、請求項１〜４のいずれか一項に記載のキッチンカウンター２において、
前記キッチン１の天板１２の背面側端部１２ａと、前記上カウンター板３との接触部分に防水処理が施されていることを特徴とする。
【００１４】
請求項５に記載の発明によれば、前記キッチン１の天板１２の背面側端部１２ａと、前記上カウンター板３との接触部分に防水処理が施されているので、前記キッチン１側からの水が前記収納部５に漏れることを確実に防ぐことができる。
【発明の効果】
【００１５】
本発明によれば、キッチンの上部に位置する天板の背面側端部に載置される上カウンター板は、メーカーや製品等に関わりなく、キッチンの高さに対応できることとなる。しかも、下カウンター板の下面に設けられる支持手段は、床面から下カウンター板の下面までの高さと略等しい高さに切削形成される化粧台輪と、この化粧台輪の前方に配置されるとともに、高さ調整可能に形成された支持脚とを備えているので、これら化粧台輪および支持脚を、床面から下カウンター板の下面までの高さに対応させることによって、キッチンの高さに関わりなく、下カウンター板を確実に所定の高さに支持できることとなる。さらに、この下カウンター板に合わせて収納部も所定の高さに支持できることとなる。
したがって、支持手段によって、下カウンター板および収納部を、キッチンの高さに対応している上カウンター板の高さに合わせて支持できるので、例えばキッチンの高さが、メーカーや製品ごとに異なるものであっても、キッチンカウンターの高さを適宜対応させることが可能となる。
【発明を実施するための最良の形態】
【００１６】
以下、図面を参照して本発明の実施の形態について説明する。
【００１７】
本実施の形態のキッチンカウンター２は、図１〜図４に示すように、シンク１０やコンロ１１等を有するキッチン１の背面に、互いに背向して取り付けられるものであり、
前記キッチン１の上部に位置する天板１２の背面側端部１２ａに載置される上カウンター板３と、下面に設けられる支持手段によって所定の高さに支持される下カウンター板４と、これら上下カウンター３，４間に設けられる収納部５とを備えており、
前記支持手段は、床面Ｆから前記下カウンター板４の下面までの高さと略等しい高さに切削形成される化粧台輪６と、この化粧台輪６の前方に配置されるとともに、高さ調整可能に形成された支持脚７とを備えている。
【００１８】
前記キッチン１は、図１〜図３に示すように、床面Ｆ上に設置された台輪１３の上に、調理器具等の収納用の箱状のキャビネット１４が設けられ、さらに、このキャビネット１４の上面に、調理作業面となる前記天板１２が設けられてなる。そして、この天板１２には、前記シンク１０やコンロ１１が設けられている。
【００１９】
前記天板１２の背面側端部１２ａは、水平部と垂直部とで構成されており、図３および図５に示すように、断面視略Ｌ字状に形成された状態となっている。すなわち、前記天板１２が平坦ではないので、水がキッチン１の背面側に漏れるのを防ぐことができるようになっている。
【００２０】
前記台輪１３は、図３に示すように、互いに対向する正面板部１３ａおよび背面板部１３ｂと、少なくとも一方の側面に設けられる側板部１３ｃとを備えている。
すなわち、前記キッチン１が、キッチンルームの中央に設置されて壁から離間するアイランドキッチンの形式の場合は、前記側板部１３ｃを両方の側面に設ける必要がある。
また、一方の端部を壁Ｗに接するようにしてキッチン１を配置するペニンシュラキッチンの形式の場合は、前記側板部１３ｃを、少なくとも壁Ｗに接していない側面または両側面に設けるようにする。
【００２１】
前記上カウンター板３は、図１および図２に示すように、矩形状の長尺な板材であり、表面には化粧が施されている。なお、図示はしないが、前記上カウンター板３の正面側端部の裏面に、かつ上カウンター板３の長さ方向に沿って、例えばＬＥＤテープライト等を設けるなどして、キッチンカウンター２に装飾を施してもよい。
なお、前記キッチン１の天板１２の背面側端部１２ａと、この上カウンター板３の背面側端部３ａとの接触部分には、図５に示すように、防水処理が施されており、前記キッチン１側からの水が前記収納部５に漏れることを確実に防ぐことができるようになっている。本実施の形態の防水処理として、いわゆるコーキング材９によって背面側端部１２ａと背面側端部３ａとの間の境目が埋められているものとするが、これに限るものでない。
【００２２】
一方、前記下カウンター板４は、図１〜図３に示すように、矩形状の長尺な板材であり、表面には化粧が施されている。なお、この下カウンター板４の裏面の正面側端部に、下カウンター板４の長さ方向に沿うとともに、下方に突出する突部４ａが形成されており、この突部４ａよりも内側に、後述する化粧台輪６および支持脚７が設けられている。
【００２３】
そして、これら上下カウンター板３，４は、前記キッチン１のコンロ１１の背面側に、油跳ね等を防ぐための背面壁１１Ａが設けられる場合ににおいて、この背面壁１１Ａの突出寸法や幅寸法に応じて形状を変更してもよい。すなわち、図６に示すように、上カウンター板３Ａは、背面壁１１Ａに合わせて、この背面壁１１Ａに接触する部分が切り欠かれて形成されている。
【００２４】
また、前記収納部５は、上述のように前記上下カウンター板３，４間に設けられており、中央にはキャビネット５０が配置されており、このキャビネット５０の両サイドには、それぞれ化粧背板５１およびマガジンラック５２が配置されている。
【００２５】
前記キャビネット５０は、図１および図２に示すように、前記下カウンター板４上に載置されており、図示しないビス等によって固定されている。また、このキャビネット５０の背面は、前記キッチン１の背面に接している。そして、このキャビネット５０の上面によって、前記上カウンター板３を支持できるようになっている。
なお、本実施の形態のキャビネット５０は、複数の抽斗を有する抽斗タイプであるが、これに限られるものではない。例えば図７に示すように、内部収納部を開閉する蓋となる戸が設けられた開き戸タイプのキャビネット５０Ａや、図示しない引き戸タイプのキャビネット等でもよく、本発明の趣旨を逸脱しない範囲で適宜変更可能である。
【００２６】
また、前記化粧背板５１は、表面に化粧が施された矩形板材であり、前記キッチン１の背面に接するようにして設けられている。このように、この化粧背板５１が前記キッチン１の背面に接して設けられることによって、この化粧背板５１の前方の前記上下カウンター板３，４間の空間を収納スペースとして利用できるようになっている。
【００２７】
さらに、前記マガジンラック５２は、前記化粧背板５１と同じ材料からなる矩形板材の表面に、雑誌や新聞等の下端部を受ける受け部と、雑誌や新聞等の前方への倒れ込みを防ぐ倒れ込み防止部材とが設けられている。
そして、このマガジンラック５２は、前記キッチン１の背面には直接接しておらず、所定の厚みを有するスペーサー５２ａを介在させて、前記キッチン１の背面から前進した位置に配置されている。
【００２８】
なお、これらキャビネット５０、化粧背板５１、マガジンラック５２の配置構造は適宜変更可能であることは言うまでもない。すなわち、キャビネット５０を前記上下カウンター板３，４間の端部に配置してもよいし、これらキャビネット５０、化粧背板５１、マガジンラック５２のうち、いずれかを用いなかったり、複数用いたりしてもよい。したがって、前記キャビネット５０、化粧背板５１、マガジンラック５２の幅寸法は略等しいものとすることが好ましい。
【００２９】
また、前記上カウンター板３は、前記収納部５内に設けられるカウンター受け桟３０によっても支持されている。すなわち、このカウンター受け桟３０は、前記収納部５の背面側から前方に向かって延在するとともに、前記上カウンター板３の下面に当接するものである。
より具体的には、前記上カウンター板３の一端側に位置するカウンター受け桟３０は、図１および図３に示すように、前記マガジンラック５２の表面に設けられて、前記上カウンター板３を確実に支持できるようになっている。
【００３０】
さらに、前記上カウンター板３の他端側に位置するカウンター受け桟３０は、アイランドキッチンの形式の場合と、ペニンシュラキッチンの形式の場合とでは、その取付位置が異なるものとなる。
すなわち、前記キッチン１がアイランドキッチンであった場合は、前記カウンター受け桟３０は、前記化粧背板５１に固定されることとなる。
前記キッチン１がペニンシュラキッチンであった場合、このキッチン１の一方の端部は壁Ｗに接した状態となる。このとき、前記カウンター受け桟３０を壁Ｗに固定し、これによって上カウンター板３を支持することで、より確実かつ十分に上カウンター板３を支持することができる。
【００３１】
なお、前記カウンター受け桟３０は、前記化粧背板５１やマガジンラック５２、壁Ｗ等に固定されるものとしたが、後述する化粧側板８に固定するようにしてもよい。また、固定はビス３０ａを用いて行っており、ビス頭が表面になるべく露出しないように、裏側や陰になる部分から設けるようにすると好ましい。
【００３２】
また、図１中において、前記カウンター受け桟３０は、前記上カウンター板１の長さ方向両端に位置しているが、例えば前記キャビネット５０が収納部５内の中央ではなく、端部に配置されているときは適宜取付位置を変更することが好ましい。
【００３３】
一方、前記下カウンター板４は、上述のように、支持手段によって所定の高さに支持されている。ここで、所定の高さとは、前記下カウンター板４の上面と、前記収納部５のキャビネット５０、化粧背板５１、マガジンラック５２の下面とが接しており、前記下カウンター板４によって前記収納部５のキャビネット５０等を確実かつ十分に支持できる高さである。さらに、この収納部５のキャビネット５０等を、前記上カウンター板３の下面に当接させることができる高さである。
すなわち、前記上カウンター板３は、前記キッチン１の天板１２の背面側端部１２ａに載置されるものであるため、メーカーや製品ごとによってキッチン１の高さが異なる場合は、この上カウンター板３の床面Ｆからの高さは変動する場合がある。床面Ｆからの高さが変動する上カウンター板３の下面に、前記収納部５のキャビネット５０等を当接させるには、前記支持手段を高さ調整して、この支持手段によって前記下カウンター板４および収納部５のキャビネット５０等を所定の高さに支持する必要がある。
【００３４】
この支持手段は、図１〜図４に示すように、また、上述のように前記化粧台輪６および支持脚７を備えている。
前記化粧台輪６は、図１〜図３に示すように、互いに対向する正面板部６０および背面板部６１と、少なくとも一方の側面に設けられる側板部６２とを備えている。
すなわち、前記キッチン１が、キッチンルームの中央に設置されて壁から離間するアイランドキッチンの形式の場合は、前記側板部６２を両方の側面に設ける必要がある。
また、一方の端部を壁Ｗに接するようにしてキッチン１を配置するペニンシュラキッチンの形式の場合は、前記側板部６２を、少なくとも壁Ｗに接していない側面または両側面に設けるようにする。
【００３５】
そして、この化粧台輪６は、図３に示すように、前記キッチン１の背面に接している。また、前記正面板部６０と背面板部６１とは、前記キッチン１の背面から前記下カウンター板４の奥行き寸法の半分よりも前方までの寸法分の間隔をあけて配置されている。これによって、この化粧台輪６によって前記下カウンター板４を効果的に支持することができるようになっている。
【００３６】
また、前記化粧台輪６の側板部６２は、図１および図２に示すように、前記背面板部６１よりも後方に突出して形成されており、この側板部６２の突出部分６２ａによって前記キッチン１の下部に位置する台輪１３の側面が被覆されている。
これにより、この側板部６２の突出部分６２ａによって、前記キッチン１の台輪１３と化粧台輪６との間の境目を隠すことができるので、前記キッチン１とキッチンカウンター２との一体化を図ることができる。また、この側板部６２の表面の色と、前記キッチン１の台輪１３の正面板部１３ａの表面の色とを同一としたり、同系色のものとしたりすることで、さらに前記キッチン１とキッチンカウンター２との一体化を図ることができ、好ましい。
【００３７】
そして、このような化粧台輪６は、上述のように床面Ｆから前記下カウンター板４の下面までの高さと略等しい高さに切削形成されている。すなわち、上述のように、前記上下カウンター板３，４および収納部５は、メーカーや製品ごとによってキッチン１の高さが異なる場合に、その高さが変動するので、現場や予め工場等で、前記化粧台輪６の高さを適宜切削する。これによって、前記上下カウンター板３，４および収納部５の高さが変動したとしても、前記化粧台輪６は、前記床面Ｆから前記下カウンター板４の下面までの高さと略等しい高さとなるように形成することが可能となる。
【００３８】
一方の支持脚７は、前記化粧台輪６の前方に配置されており、前記下カウンター板４の両端部近傍にそれぞれ１本ずつ設けられている。
また、この支持脚７は、図３および図４に示すように、前記床面Ｆに接地する部分である接地部７０と、この接地部７０の上端部に設けられるとともに、外周面に雄ネジ７１ａが設けられたボルト７１と、前記下カウンター板４の下面に固定される筒状の脚本体７２と、この脚本体７２の内部下端部に設けられるとともに、内周面に前記雄ネジ７１ａとネジ結合可能な雌ネジ７３ａが設けられたナット７３とを備えている。
したがって、前記ボルト７１が設けられた接地部７０をネジ回転させて上下方向に移動させることで、前記支持脚７の高さ調整ができるようになっている。
【００３９】
そして、図１〜図３に示すように、前記キッチン１と、前記上下カウンター板３，４および収納部５との側面に、これらキッチン１と、上下カウンター板３，４および収納部５との側面を被覆する化粧側板８が取り付けられている。この化粧側板８は、表面に化粧が施されている。
これにより、この化粧側板８によって、前記キッチン１の側面と、前記上下カウンター板３，４および収納部５の側面を隠すことができるので、外観性を向上させることができる。また、この化粧側板８によって、前記キッチン１と、前記上下カウンター板３，４および収納部５とを連結するとともに、これ各部どうしの境目を隠すことができるので、前記キッチン１とキッチンカウンター２との一体化を図ることが可能となっている。
【００４０】
なお、この化粧側板８は、前記キッチン１のコンロ１１に近接して設けられる場合があるので、不燃材料が用いられていたり、不燃加工されていることが好ましい。表面の塗料等も不燃であることが好ましい。
【００４１】
さらに、この化粧側板８は、前記キッチン１が、キッチンルームの中央に設置されて壁から離間するアイランドキッチンの形式の場合は、前記キッチン１と、前記上下カウンター板３，４および収納部５との両側面に取り付けられることとなる。
また、一方の端部を壁Ｗに接するようにしてキッチン１を配置するペニンシュラキッチンの形式の場合は、壁Ｗに接していない側面にのみ取り付けられることとなる。
【００４２】
また、この化粧側板８は、前記化粧台輪６の側板部６２の突出部分６２ａの上面木口に載せられるようにして設けられている。
そして、このように化粧側板８および前記化粧台輪６の側板部６２は接触して設けられているので、例えば、前記化粧台輪６の側端部６の高さ寸法を高く形成したり、低く形成したり、これに合わせて前記化粧側板８をの高さ寸法を低くしたり、高くしたりすることによって、前記キッチン１およびキッチンカウンター２を側面から見た際のデザインを適宜変更することができる。つまり、前記化粧台輪６の側板部６２は、前記化粧台輪６の正面板部６０および背面板部６１と比較して高さを高くしてもよいし、低くしてもよい。
【００４３】
このような化粧側板８を取り付ける際は、図２に示すように、前記キッチン１のキャビネット１４の内部からビス８ａによってビス固定し、ビス頭が化粧側板８の表面に露出しないようにする。
【００４４】
以上のような本実施の形態のキッチンカウンター２を組み立てる際は、まず、キッチンカウンター２が取り付けられるキッチン１の高さを計測し、前記化粧台輪６の高さ寸法を適宜変更するとともに、前記支持脚７の高さ調整も行う。
【００４５】
続いて、図３に示すように、前記化粧台輪６を、キッチン１の背面側に接触させるようにして設置する。この時、この化粧台輪６の側板部６２の突出部分６２ａによって、前記キッチン１の台輪１３を被覆する。
なお、前記支持脚７は、前記下カウンター板４の下面に予め取付固定しておく。また、前記化粧台輪６も、前記下カウンター板４の下面に予め取付固定しておいても良い。
【００４６】
次に、この化粧台輪６の上に、前記下カウンター板４を載置固定する。なお、この下カウンター板４の下面に予め固定されている支持脚７は、この時に高さ調整を行うようにしてもよい。
【００４７】
次に、前記収納部５を施工するが、この時、前記壁Ｗの近くに設けられるものから施工するのが好ましい。本実施の形態においては、図１に示すように、前記化粧背板５１の施工から行うものとする。
まずは、前記化粧背板５１を、前記キッチン１の背面に貼り付けるようにして前記下カウンター板４の上面に設ける。
続いて、前記キャビネット５０を、前記化粧背板５１側に寄せて化粧背板５１に当接させながら、前記下カウンター板４の上面に設ける。
そして、前記マガジンラック５２を、前記スペーサー５２ａを介して前記キッチン１の背面側に設ける。
【００４８】
次に、前記カウンター受け桟３０を、前記ビス３０ａによって、前記壁Ｗの所定の高さ位置に固定するとともに、前記マガジンラック５２の表面の上側端部に固定する。
そして、これらカウンター受け桟３０と、前記キャビネット５０の上面に載置するようにして、前記上カウンター板３を設ける。この時、この上カウンター板３の背面側端部３ａを、前図２に示すように、前記化粧側板８を、前記ビス８ａによって、前記キッチン１と、前記上下カウンター３，４および収納部５（マガジンラック５２およびスペーサー５２ａ）との側面に取り付ける。この時、この化粧側板８を、前記化粧台輪６の側板部６２と、この側板部６２の突出部分６２ａとの上面木口に載せるようにして設ける。
【００４９】
そして、前記コーキング材９を、前記キッチン１の天板１２の背面側端部１２ａと、前記上カウンター板３の背面側端部３ａとの接触部分に塗設して、これら背面側端部１２ａと背面側端部３ａとの間の境目を埋めるようにする。
【００５０】
本実施の形態によれば、前記上カウンター板３は、前記キッチン１の上部に位置する天板１２の背面側端部１２ａに載置されるので、メーカーや製品等に関わりなく、前記キッチン１の高さに対応できることとなる。
しかも、前記支持手段は、床面Ｆから前記下カウンター板４の下面までの高さと略等しい高さに切削形成される化粧台輪６と、この化粧台輪６の前方に配置されるとともに、高さ調整可能に形成された支持脚７とを備えているので、これら化粧台輪６および支持脚７を、床面Ｆから前記下カウンター板４の下面までの高さに対応させることによって、前記キッチン１の高さに関わりなく、前記下カウンター板４を確実に所定の高さに支持できることとなる。さらに、この下カウンター板４に合わせて前記収納部５も所定の高さに支持できることとなる。
したがって、前記支持手段によって、前記下カウンター板４および収納部５を、前記キッチン１の高さに対応している前記上カウンター板３の高さに合わせて支持できるので、例えばキッチン１の高さが、メーカーや製品ごとに異なるものであっても、キッチンカウンター２の高さを適宜対応させることが可能となる。
【００５１】
また、このように前記キッチンカウンター２を、メーカーや製品ごとに異なる高さを有するキッチン１に対応させて取り付けることができるので、キッチン１のリフォームにも対応しやすい。
【図面の簡単な説明】
【００５２】
【図１】本発明のキッチンカウンターの組立途中の状態を示す斜視図である。
【図２】本発明のキッチンカウンターを示す斜視図である。
【図３】図１に示すキッチンカウンターの側断面図である。
【図４】支持脚を示す側断面拡大図である
【図５】キッチンの天板と上カウンター板との接触部分を示す側断面拡大図である。
【図６】上カウンター板の一実施形態を示す平面図である。
【図７】収納部を構成するキャビネットの一例を示す斜視図である。
【符号の説明】
【００５３】
１  キッチン
２  キッチンカウンター
３  上カウンター板
４  下カウンター板
５  収納部
６  化粧台輪
７  支持脚
８  化粧側板
【図１】
0005016466.tif 000002
【図２】
0005016466.tif 000003
【図３】
0005016466.tif 000004
【図４】
0005016466.tif 000005
【図５】
0005016466.tif 000006
【図６】
0005016466.tif 000007
【図７】
0005016466.tif 000008